(57)【要約】【課題】ランプユニットがスライド式に取り付け可能なバックライトにおいて、自由度の高い設計を可能にすることにある。【解決手段】光を上面から出射するための光出射部Ｌ、及びその光出射部Ｌの周囲に配置された枠部Ｆを有する矩形箱状の筐体と、枠部Ｆを構成すると共に互いに対向する第１側枠Ｆ１及び第４側枠Ｆ４にそれぞれ収容された細長のランプユニット１０ａ及び１０ｂとを備えたバックライト２０ａであって、枠部Ｆのうち、第１側枠Ｆ１と直交する第２側枠Ｆ２及び第３側枠Ｆ３には、ランプユニット１０ａ及び１０ｂをスライド式に挿入するための挿入口Ｓ１〜Ｓ４がそれぞれ設けられている。【選択図】図３
2007257908.tif 000002
【特許請求の範囲】
【請求項１】
光を上面から出射するための光出射部、及び該光出射部の周囲に配置された枠部を有する矩形箱状の筐体と、
上記筐体の上面における第１の辺に沿って設けられ、少なくとも両端部が上記枠部に収容された細長のランプユニットとを備えたバックライトであって、
上記枠部のうち、上記第１の辺と直交する上記筐体の上面における第２の辺及び第３の辺にそれぞれ沿った第２側枠及び第３側枠には、上記ランプユニットをスライド式に挿入するための挿入口がそれぞれ設けられていることを特徴とするバックライト。
【請求項２】
請求項１に記載されたバックライトにおいて、
上記ランプユニットは、線長のランプと、該ランプを側方から収容するように半割りの筒状に設けられたリフレクターとを備えていることを特徴とするバックライト。
【請求項３】
請求項１に記載されたバックライトにおいて、
上記ランプユニットは、上記枠部のうち、上記第１の辺に沿った第１側枠に収容され、
上記挿入口は、上記第２側枠及び第３側枠における上記第１の辺側の端部にそれぞれ設けられていることを特徴とするバックライト。
【請求項４】
請求項１に記載されたバックライトにおいて、
上記ランプユニットは、上記枠部のうち、上記第１の辺に沿った第１側枠、及び該第１の辺に対向する上記筐体の第４の辺に沿った第４側枠にそれぞれ収容され、
上記挿入口は、上記第２側枠及び第３側枠における両端部にそれぞれ設けられていることを特徴とするバックライト。
【請求項５】
請求項１に記載されたバックライトにおいて、
上記挿入口は、上記第２側枠及び第３側枠にそれぞれ複数設けられ、
上記ランプユニットは、上記第１の辺、及び該第１の辺に対向する第４の辺の間に複数設けられていることを特徴とするバックライト。
【請求項６】
請求項１に記載されたバックライトにおいて、
上記ランプユニットは、上記第２側枠に設けられた挿入口を介して挿入され、
上記第３側枠に設けられた挿入口には、該挿入口を塞ぐためのキャップが取り付けられていることを特徴するバックライト。
【請求項７】
請求項６に記載されたバックライトにおいて、
上記キャップは、上記取り付けられる筐体の厚さ方向に垂直な面に対して対称に形成されていることを特徴とするバックライト。
【請求項８】
請求項１に記載されたバックライトにおいて、
上記ランプユニットは、長さ方向に沿った面に対して対称に形成されていることを特徴とするバックライト。
【請求項９】
請求項４に記載されたバックライトにおいて、
上記第１側枠及び第４側枠に収容される各ランプユニットは、互いに鏡面対称に形成されていることを特徴とするバックライト。
【請求項１０】
請求項４に記載されたバックライトにおいて、
上記各ランプユニットは、上記第２側枠の両端部に設けられた挿入口を介して挿入され、
上記第３側枠の両端部に設けられた各挿入口には、該挿入口を塞ぐためのキャップがそれぞれ取り付けられ、
上記各キャップは、互いに鏡面対称に形成されていることを特徴とするバックライト。
【請求項１１】
液晶表示パネルと、該液晶表示パネルの表示面に対向して配置されたバックライトとを備えた液晶表示装置であって、
上記バックライトは、光を上面から出射するための光出射部、及び該光出射部の周囲に配置された枠部を有する矩形箱状の筐体と、上記筐体の上面における第１の辺に沿って設けられ、少なくとも両端部が上記枠部に収容された細長のランプユニットとを備え、
上記枠部のうち、上記第１の辺と直交する上記筐体の上面における第２の辺及び第３の辺にそれぞれ沿った第２側枠及び第３側枠には、上記ランプユニットをスライド式に挿入するための挿入口がそれぞれ設けられていることを特徴とする液晶表示装置。
【発明の詳細な説明】
【技術分野】
【０００１】
本発明は、バックライト及びそれを備えた液晶表示装置に関し、特に、ランプユニットがスライド式に取り付け可能なバックライト及びそれを備えた液晶表示装置に関するものである。
【背景技術】
【０００２】
透過型の液晶表示装置は、例えば、互いに対向して配置された一対の基板、及びそれら一対の基板の間に設けられた液晶層などからなる液晶表示パネルと、その液晶表示パネルの後方に設けられたバックライトとを備えている。そして、この液晶表示装置では、液晶層に印加される電圧の大きさに応じて、液晶層を構成する液晶分子の配向状態を変えることにより、バックライトから入射する光の透過率を調整して、画像が表示される。
【０００３】
上記バックライトとしては、線長の光源が液晶表示パネルの後方且つ直下に設けられた直下方式、及び線長の光源が液晶表示パネルの後方且つ側方に取り付けられたエッジライト方式などが広く用いられている。
【０００４】
例えば、エッジライト方式のバックライトは、反射板として半割りの筒状に形成されたリフレクター、及び線長の光源として、そのリフレクターの延びる方向に沿って、その内側に設けられた蛍光ランプなどからなるランプユニットを備えている。
【０００５】
例えば、特許文献１、２及び３には、装置本体に対して、ランプユニットがスライド式に交換可能になった液晶表示装置、照明装置及びバックライト装置がそれぞれ開示されている。
【特許文献１】特開平６−５１２９３号公報
【特許文献２】特開平１０−９７８０６号公報
【特許文献３】米国特許第６５１３９４４号明細書
【発明の開示】
【発明が解決しようとする課題】
【０００６】
ところで、蛍光ランプなどの細長の光源における両端には、その光源を点灯させるための配線がそれぞれ接続されている。そして、ランプユニットでは、その光源の両端から延びる各配線が光源の一方端側に引き出された後に束ねられてハーネスを構成している。さらに、ハーネスの先には、光源に高電圧を印加するためのインバータ回路が接続されている。
【０００７】
ここで、ランプユニットでは、光源に高電圧を効率よく印加するために、光源とインバータ回路との距離、すなわち、ハーネスの長さを所定の範囲に収める必要がある。例えば、特許文献１、２及び３に開示された装置では、装置本体の一端側にランプユニットが挿入可能な挿入口が設けられているので、その挿入口の近傍にインバータ回路が配置されることになる。このように、装置本体の一端側からランプユニットがスライド式に交換可能なバックライトでは、インバータ回路の位置に制約ができてしまうので、自由度の高い設計が困難である。
【０００８】
本発明は、かかる点に鑑みてなされたものであり、その目的とするところは、ランプユニットがスライド式に取り付け可能なバックライトにおいて、自由度の高い設計を可能にすることにある。
【課題を解決するための手段】
【０００９】
上記目的を達成するために、本発明は、矩形箱状の筐体の枠部において、互いに対向する一対の側枠に、細長のランプユニットを挿入するための挿入口をそれぞれ設けるようにしたものである。
【００１０】
具体的に本発明にかかるバックライトは、光を上面から出射するための光出射部、及び該光出射部の周囲に配置された枠部を有する矩形箱状の筐体と、上記筐体の上面における第１の辺に沿って設けられ、少なくとも両端部が上記枠部に収容された細長のランプユニットとを備えたバックライトであって、上記枠部のうち、上記第１の辺と直交する上記筐体の上面における第２の辺及び第３の辺にそれぞれ沿った第２側枠及び第３側枠には、上記ランプユニットをスライド式に挿入するための挿入口がそれぞれ設けられていることを特徴とする。
【００１１】
上記の構成によれば、光出射部の周囲に配置された枠部が、筐体の上面における第１の辺と直交する第２の辺及び第３の辺にそれぞれ沿った第２側枠及び第３側枠を有し、細長のランプユニットを挿入するための挿入口が第２側枠及び第３側枠にそれぞれ設けられているので、バックライトにランプユニットを取り付ける際には、筐体の第２及び第３の辺の双方側からランプユニットをスライド式に挿入することが可能になる。そのため、例えば、ランプユニットに付随して設けられるインバータ回路を筐体の第２及び第３の辺の何れの側にも配置することが可能になる。したがって、ランプユニットがスライド式に取り付け可能なバックライトにおいて、自由度の高い設計が可能になる。
【００１２】
上記ランプユニットは、線長のランプと、該ランプを側方から収容するように半割りの筒状に設けられたリフレクターとを備えていてもよい。
【００１３】
上記の構成によれば、ランプユニットでは、細長のランプからの光がリフレクターの内面で反射されると共に、その反射された光がリフレクターの側方の開口部分から出射されるので、ランプユニットから出射される光がバックライトの光出射部に具体的に供給されることになる。
【００１４】
上記ランプユニットは、上記枠部のうち、上記第１の辺に沿った第１側枠に収容され、上記挿入口は、上記第２側枠及び第３側枠における上記第１の辺側の端部にそれぞれ設けられていてもよい。
【００１５】
上記の構成によれば、ランプユニットが筐体の枠部の第１側枠に収容される片側配置のエッジライト方式のバックライトにおいて、本発明の作用効果が具体的に奏される。
【００１６】
上記ランプユニットは、上記枠部のうち、上記第１の辺に沿った第１側枠、及び該第１の辺に対向する上記筐体の第４の辺に沿った第４側枠にそれぞれ収容され、上記挿入口は、上記第２側枠及び第３側枠における両端部にそれぞれ設けられていてもよい。
【００１７】
上記の構成によれば、ランプユニットが筐体の枠部の第１側枠、及びその第１側枠に対向する第４側枠にそれぞれ収容される両側配置のエッジライト方式のバックライトにおいて、本発明の作用効果が具体的に奏される。
【００１８】
上記挿入口は、上記第２側枠及び第３側枠にそれぞれ複数設けられ、上記ランプユニットは、上記第１の辺、及び該第１の辺に対向する第４の辺の間に複数設けられていてもよい。
【００１９】
上記の構成によれば、ランプユニットが筐体の第１の辺、及びその第１の辺に対向する第４の辺の間に複数配置される直下方式のバックライトにおいて、本発明の作用効果が具体的に奏される。
【００２０】
上記ランプユニットは、上記第２側枠に設けられた挿入口を介して挿入され、上記第３側枠に設けられた挿入口には、該挿入口を塞ぐためのキャップが取り付けられていてもよい。
【００２１】
上記の構成によれば、ランプユニットが挿入されない側の挿入口がキャップによって塞がれることになるので、バックライト内部への異物の混入が抑制される。
【００２２】
上記キャップは、上記取り付けられる筐体の厚さ方向に垂直な面に対して対称に形成されていてもよい。
【００２３】
上記の構成によれば、キャップが取り付けられる筐体の厚さ方向に垂直な面に対して対称に形成されているので、例えば、片側配置のエッジライト方式のバックライトでは、筐体の第３側枠に設けられた挿入口に取り付けるキャップを、筐体の第２側枠に設けられた挿入口にも取り付けることが可能になる。そのため、ランプユニットを筐体の第２及び第３の辺の何れの側から挿入しても、１種類のキャップによってランプユニットが挿入されない側の挿入口を塞ぐことが可能になる。さらに、両側配置のエッジライト方式のバックライトでは、第２側枠又は第３側枠の両端部に設けられた各挿入口に取り付けるキャップを１種類で済ませることが可能になる。
【００２４】
上記ランプユニットは、長さ方向に沿った面に対して対称に形成されていてもよい。
【００２５】
上記の構成によれば、ランプユニットが長さ方向に沿った面に対して対称に形成されているので、例えば、片側配置のエッジライト方式のバックライトでは、筐体の第２側枠に設けられた挿入口を介して挿入されるランプユニットを、筐体の第３側枠に設けられた挿入口を介して挿入することが可能になる。そのため、ランプユニットを筐体の第２及び第３の辺の何れの側から挿入する場合でも、１種類のランプユニットで済ませることが可能になる。さらに、両側配置のエッジライト方式のバックライトでは、第２側枠又は第３側枠の両端部に設けられた各挿入口に挿入するランプユニットを１種類で済ませることが可能になる。
【００２６】
上記第１側枠及び第４側枠に収容される各ランプユニットは、互いに鏡面対称に形成されていてもよい。
【００２７】
上記の構成によれば、両側配置のエッジライト方式のバックライトにおいて、筐体の第１側枠及び第４側枠に収容される各ランプユニットが互いに鏡面対称に形成されているので、例えば、筐体の第２側枠における第１の辺側に設けられた挿入口に挿入されるランプユニットを筐体の第３側枠における第４の辺側に設けられた挿入口に挿入することが可能になると共に、筐体の第２側枠における第４の辺側に設けられた挿入口に挿入されるランプユニットを筐体の第３側枠における第１の辺側に設けられた挿入口に挿入することが可能になる。そのため、ランプユニットを筐体の第２及び第３の辺の何れの側から挿入する場合でも、ランプユニットを２種類で済ませることが可能になる。
【００２８】
上記各ランプユニットは、上記第２側枠の両端部に設けられた挿入口を介して挿入され、上記第３側枠の両端部に設けられた各挿入口には、該挿入口を塞ぐためのキャップがそれぞれ取り付けられ、上記各キャップは、互いに鏡面対称に形成されていてもよい。
【００２９】
上記の構成によれば、両側配置のエッジライト方式のバックライトにおいて、筐体の第３側枠における第１の辺側に設けられた挿入口に取り付けられるキャップ、及び筐体の第３側枠における第４の辺側に設けられた挿入口に取り付けられるキャップが鏡面対称に形成されているので、例えば、筐体の第３側枠における第１の辺側に設けられた挿入口に取り付けられるキャップを筐体の第２側枠における第４の辺側に設けられた挿入口に取り付けることが可能になると共に、筐体の第３側枠における第４の辺側に設けられた挿入口に取り付けられるキャップを筐体の第２側枠における第１の辺側に設けられた挿入口に取り付けることが可能になる。そのため、ランプユニットを筐体の第２及び第３の辺の何れの側から挿入する場合でも、キャップを２種類で済ませることが可能になる。
【００３０】
また、本発明にかかる液晶表示装置は、液晶表示パネルと、該液晶表示パネルの表示面に対向して配置されたバックライトとを備えた液晶表示装置であって、上記バックライトは、光を上面から出射するための光出射部、及び該光出射部の周囲に配置された枠部を有する矩形箱状の筐体と、上記筐体の上面における第１の辺に沿って設けられ、少なくとも両端部が上記枠部に収容された細長のランプユニットとを備え、上記枠部のうち、上記第１の辺と直交する上記筐体の上面における第２の辺及び第３の辺にそれぞれ沿った第２側枠及び第３側枠には、上記ランプユニットをスライド式に挿入するための挿入口がそれぞれ設けられていることを特徴とする。
【００３１】
上記構成によれば、光出射部の周囲に配置された枠部が、筐体の上面における第１の辺と直交する第２の辺及び第３の辺にそれぞれ沿った第２側枠及び第３側枠を有し、細長のランプユニットを挿入するための挿入口が第２側枠及び第３側枠にそれぞれ設けられているので、液晶表示装置（バックライト）にランプユニットを取り付ける際には、筐体の第２及び第３の辺の双方側からランプユニットをスライド式に挿入することが可能になる。そのため、例えば、ランプユニットに付随して設けられるインバータ回路を筐体の第２及び第３の辺の何れの側にも配置することが可能になる。したがって、ランプユニットがスライド式に取り付け可能なバックライト（液晶表示装置）において、自由度の高い設計が可能になる。
【発明の効果】
【００３２】
本発明によれば、矩形箱状の筐体の枠部において、互いに対向する一対の側枠に、細長のランプユニットを挿入するための挿入口がそれぞれ設けられているので、ランプユニットがスライド式に取り付け可能なバックライトにおいて、自由度の高い設計をすることができる。
【発明を実施するための最良の形態】
【００３３】
以下、本発明の実施形態を図面に基づいて詳細に説明する。なお、本発明は、以下の実施形態に限定されるものではない。
【００３４】
《発明の実施形態１》
図１〜図８は、本発明にかかるバックライト及びそれを備えた液晶表示装置の実施形態１を示している。ここで、図１は、本実施形態にかかる液晶表示装置５０ａの上面図であり、図２は、液晶表示装置５０ａの分解斜視図である。
【００３５】
この液晶表示装置５０ａは、図２に示すように、液晶表示パネル３０と、その液晶表示パネル３０の表示面Ｄに対向して後方（図中の下側）に配置されたバックライト２０ａとを備えている。
【００３６】
液晶表示パネル３０は、例えば、互いに対向して配置されたアクティブマトリクス基板（不図示）及び対向基板（不図示）と、それら両基板の間に設けられた液晶層（不図示）とを備えている。また、液晶表示パネル３０の端部には、パネル内に表示用信号などを入力するためのプリント配線基板３１がＦＰＣ（Flexible Printed Circuit）３２を介して取り付けられている。さらに、液晶表示パネル３０は、その表示面Ｄが露出するように矩形枠状に形成された金属製のベゼル４０をバックライト２０ａの外周部にねじ止めすることによって、バックライト２０ａの上面に固定されている。
【００３７】
バックライト２０ａでは、図２に示すように、上面のない扁平な矩形箱状に形成されたプラスチック製の下側シャーシ２１と、その下側シャーシ２１に嵌合するように矩形枠状に形成されたプラスチック製の上側シャーシ２６との間に、矩形枠状に形成された金属製のアングル２２と、矩形平板状に形成された板状リフレクター２３と、矩形平板状に形成された樹脂製の導光板２４と、矩形平板状に形成された樹脂製の拡散板などからなる光学シート２５とが下から順に設けられている。ここで、板状リフレクター２３は、例えば、ステンレスなどからなる金属板と、その金属板の上面に設けられた白色のプラスチックシートなどからなる反射シートとを備えている。
【００３８】
また、バックライト２０ａは、図３に示すように、上面に光学シート２５が配置された光出射部Ｌと、その光出射部Ｌの周囲に配置された枠部Ｆとを備えている。ここで、図３は、バックライト２０ａの上面図である。そして、図４は、図３中の左側からみたバックライト２０ａの側面図であり、図５は、図３中の右側からみたバックライト２０ａの側面図である。また、図６は、図３中のVI−VI線に沿ったバックライト２０ａの断面図である。なお、図６では、上述したアングル２２、板状リフレクター２３、光学シート２５が省略されている。
【００３９】
枠部Ｆは、図３中の上側で左右方向に延びると共にバックライト２０ａ（筐体Ｃ）の上辺（第１の辺）に沿った第１側枠Ｆ１、図３中の左側で上下方向に延びると共にバックライト２０ａの上辺に直交する左辺（第２の辺）に沿った第２側枠Ｆ２、図３中の右側で上下方向に延びると共にバックライト２０ａの上辺に直交する右辺（第３の辺）に沿った第３側枠Ｆ３、及び図３中の下側で左右方向に延びると共にバックライト２０ａの上辺に対向する下辺（第４の辺）に沿った第４側枠Ｆ４を有している。
【００４０】
第２側枠Ｆ２及び第３側枠Ｆ３の両端部には、細長のランプユニット１０ａ及び１０ｂをそれぞれ挿入するための挿入口Ｓ１〜Ｓ４が設けられている。
【００４１】
さらに、バックライト２０ａは、上述のように上側シャーシ２６及び下側シャーシ２１などからなる矩形箱状の筐体Ｃを構成する枠部Ｆ、例えば、図３及び図６に示すように、第１側枠Ｆ１及び第４側枠Ｆ４の内部に、ランプユニット１０ａ及び１０ｂがそれぞれ収容された上下両側配置のエッジライト方式に構成されている。
【００４２】
ランプユニット１０ａ及び１０ｂは、図２に示すように、互いに平行に延びる線長のランプ１１と、そのランプ１１を側方から収容するように半割りの筒状に設けられた筒状リフレクター１２とを備えている。ここで、ランプ１１は、例えば、冷陰極蛍光ランプや熱陰極蛍光ランプなどにより構成されている。また、筒状リフレクター１２は、金属製であり、図６に示すように、横断面において下辺が上辺よりも長くなった略断面コの字状に形成されている。
【００４３】
また、ランプユニット１０ａ及び１０ｂでは、ランプ１１の両端から延びる各配線がランプ１１の一方端側に引き出された後に束ねられてハーネス１３を構成している。さらに、ハーネス１３の先には、ランプ１１に高電圧を印加するためのインバータ回路などに接続するコネクタ１４が取り付けられている。
【００４４】
さらに、ランプユニット１０ａ及び１０ｂは、ハーネス１３が引き出されている側の端部に、挿入口Ｓ１及びＳ２にそれぞれ嵌合するように設けられたキャップ１６ａ及び１６ｂを備えている。
【００４５】
なお、ランプユニット１０ａ及び１０ｂは、バックライト２０ａとして、又は、図１に示すように、液晶表示装置５０ａとして組み上がった状態で筐体Ｃに対して左右両側からスライド式に交換可能に構成されている。
【００４６】
ここで、図３では、ランプユニット１０ａ及び１０ｂがバックライト２０ａの左側から第２側枠Ｆ２における両端部に設けられた挿入口Ｓ１及びＳ２を介して挿入されていると共に第１側枠Ｆ１及び第４側枠Ｆ４の内部にそれぞれ収容されているので、第２側枠Ｆ２の両端部の挿入口Ｓ１及びＳ２には、図４に示すように、キャップ１６ａ及び１６ｂがそれぞれ取り付けられている。また、バックライト２０ａの右側の第３側枠Ｆ３における両端部に設けられた挿入口Ｓ３及びＳ４には、図５に示すように、キャップ１６ｃ及び１６ｄがそれぞれ取り付けられている。なお、キャップ１６ａ〜１６ｄは、筐体Ｃにそれぞれ形成されたねじ穴Ｈ１〜Ｈ４でねじ止めにより筐体Ｃに固定されている。また、ランプユニット１０ａ及び１０ｂが挿入されない側の挿入口Ｓ３及びＳ４がキャップ１６ｃ及び１６ｄによってそれぞれ塞がれていると共に、また、ランプユニット１０ａ及び１０ｂが挿入された側の挿入口Ｓ１及びＳ２がキャップ１６ａ及び１６ｂによってそれぞれ塞がれているので、バックライト２０ａの内部への異物の混入を抑制することができる。
【００４７】
さらに、図７に示すように、ランプユニット１０ｂ及び１０ａがバックライト２０ａの右側から第３側枠Ｆ３における両端部の挿入口Ｓ３及びＳ４を介して挿入されると共に第１側枠Ｆ１及び第４側枠Ｆ４の内部にそれぞれ収容される場合には、バックライト２０ａの右側の第３側枠Ｆ３における両端部に設けられた挿入口Ｓ３及びＳ４にキャップ１６ｂ及び１６ａがそれぞれ取り付けられ、バックライト２０ａの左側の第２側枠Ｆ２における両端部に設けられた挿入口Ｓ１及びＳ２にキャップ１６ｄ及び１６ｃがそれぞれ取り付けられる。
【００４８】
ここで、ランプユニット１０ａ及び１０ｂは、互いに鏡面対称に形成されているので、例えば、筐体Ｃの第２側枠Ｆ２に設けられた挿入口Ｓ１に挿入されるランプユニット１０ａを筐体Ｃの第３側枠Ｆ３に設けられた挿入口Ｓ４に挿入することができ、また、筐体Ｃの第２側枠Ｆ２に設けられた挿入口Ｓ２に挿入されるランプユニット１０ｂを筐体Ｃの第３側枠Ｆ３に設けられた挿入口Ｓ３に挿入することができる。そのため、ランプユニットを筐体Ｃの第２側枠Ｆ２及び第３側枠Ｆ３の何れの側から挿入する場合でも、２種類のランプユニット１０ａ及び１０ｂで済ませることができる。これとは反対に、ランプユニット１０ａ及び１０ｂが互いに非対称である場合には、ランプユニットを共用化することができず、４種類のランプユニットが必要になる。
【００４９】
また、キャップ１６ｃ及び１６ｄは、互いに鏡面対称に形成されているので、例えば、筐体Ｃの第３側枠Ｆ３に設けられた挿入口Ｓ３に取り付けられるキャップ１６ｃを筐体Ｃの第２側枠Ｆ２に設けられた挿入口Ｓ２に取り付けることができ、また、筐体Ｃの第３側枠Ｆ３に設けられた挿入口Ｓ４に取り付けられるキャップ１６ｄを筐体Ｃの第２側枠Ｆ２に設けられた挿入口Ｓ１に取り付けることができる。そのため、ランプユニットを筐体Ｃの第２側枠Ｆ２及び第３側枠Ｆ３の何れの側から挿入する場合でも、２種類のキャップ１６ｃ及び１６ｄで済ませることができる。これとは反対に、キャップ１６ｃ及び１６ｄが互いに非対称である場合には、キャップを共用化することができず、４種類のキャップが必要になる。
【００５０】
上記構成の液晶表示装置５０ａでは、画像の最小単位である画素毎に、液晶表示パネル３０の液晶層に所定の電圧を印加して、その印加電圧の大きさに応じて液晶層の液晶分子の配向状態を変えることにより、バックライト２０ａを構成する各ランプユニット１０ａ及び１０ｂから出射された光が導光板２４及び光学シート２５を介して液晶表示パネル３０を透過するときの透過率を調整して、画像が表示される。
【００５１】
以上説明したように、本実施形態のバックライト２０ａ及びそれを備えた液晶表示装置５０ａによれば、光出射部Ｌの周囲に配置された枠部Ｆが、筐体Ｃの上面における第１の辺に沿った第１側枠Ｆ１、第１の辺に直交する第２の辺に沿った第２側枠Ｆ２、第１の辺に直交する第３の辺に沿った第３側枠Ｆ３、第１の辺に対向する第４の辺に沿った第４側枠Ｆ４を有し、第２側枠Ｆ２及び第３側枠Ｆ３の各両端部に、細長のランプユニット１０ａ及び１０ｂを挿入するための挿入口Ｓ１〜Ｓ４がそれぞれ設けられているので、バックライト２０ａ（液晶表示装置５０ａ）にランプユニットを取り付ける際には、筐体Ｃの第２側枠Ｆ２及び第３側枠Ｆ３の双方側からランプユニットをスライド式に挿入することができる。そのため、例えば、ランプユニットに付随して設けられるインバータ回路を筐体Ｃの第２側枠Ｆ２及び第３側枠Ｆ３の何れの側にも配置することができる。したがって、ランプユニットがスライド式に取り付け可能な両側配置のエッジライト方式のバックライト及び液晶表示装置において、自由度の高い設計をすることができる。
【００５２】
また、本実施形態では、キャップ１６ｃ及び１６ｄが互いに鏡面対称に形成されているものを例示したが、本発明は、図８に示すように、キャップ１６自体を取り付けられる筐体Ｃの厚さ方向に垂直な面に対して対称に形成させてもよい。これによれば、第２側枠Ｆ２の両端部に設けられた挿入口Ｓ１及びＳ２、又は、第３側枠Ｆ３の両端部に設けられた挿入口Ｓ３及びＳ４に取り付けるキャップを１種類で済ませることができる。
【００５３】
さらに、本実施形態では、ランプユニット１０ａ及び１０ｂが互いに鏡面対称に形成されているものを例示したが、本発明は、図９に示すように、筒状リフレクター１２を横断面において上辺及び下辺の長さを等しく設定するなどして断面コの字状に形成することにより、ランプユニット１０自体を長さ方向に沿った面に対して対称に形成させてもよい。これによれば、第２側枠Ｆ２の両端部に設けられた挿入口Ｓ１及びＳ２、又は、第３側枠Ｆ３の両端部に設けられた挿入口Ｓ３及びＳ４を介して挿入するランプユニットを１種類で済ませることができる。
【００５４】
《発明の実施形態２》
図１０〜図１２は、本発明にかかるバックライトの実施形態２を示している。なお、以下の各実施形態では図１〜図８と同じ部分については同じ符号を付して、その詳細な説明を省略する。ここで、図１０は、バックライト２０ｂの上面図である。そして、図１１は、図１０中の左側からみたバックライト２０ｂの側面図であり、図１２は、図１０中の右側からみたバックライト２０ｂの側面図である。
【００５５】
本実施形態の液晶表示装置は、上記実施形態１の液晶表示パネル３０と、その液晶表示パネル３０の表示面Ｄに対向して配置されたバックライト２０ｂとを備えている。
【００５６】
バックライト２０ｂでは、上記実施形態１のバックライト２０ａと同様に、下側シャーシ２１と上側シャーシ２６との間に、アングル２２と、板状リフレクター２３と、導光板２４と、光学シート２５とが下から順に設けられている。
【００５７】
また、バックライト２０ｂは、図１０に示すように、上面に光学シート２５が配置された光出射部Ｌと、その光出射部Ｌの周囲に配置された枠部Ｆとを備えている。
【００５８】
枠部Ｆは、図１０中の上側に左右方向に延びると共にバックライト２０ｂ（筐体Ｃ）の上辺（第１の辺）に沿った第１側枠Ｆ１ｂ、図１０中の左側に上下方向に延びると共にバックライト２０ｂの上辺に直交する左辺（第２の辺）に沿った第２側枠Ｆ２ｂ、図１０中の右側に上下方向に延びると共にバックライト２０ｂの上辺に直交する右辺（第３の辺）に沿った第３側枠Ｆ３ｂ、及び図１０中の下側に左右方向に延びると共にバックライト２０ｂの上辺に対向する下辺（第４の辺）に沿った第４側枠Ｆ４ｂを有している。
【００５９】
第２側枠Ｆ２ｂ及び第３側枠Ｆ３ｂの各第１側枠Ｆ１ｂ側の端部には、ランプユニット１０ｂを挿入するための挿入口Ｓ１及びＳ２が設けられている。
【００６０】
そして、バックライト２０ｂは、矩形箱状の筐体Ｃを構成する第１側枠Ｆ１ｂの内部にランプユニット１０ｂが収容されて、上側のみの片側配置のエッジライト方式に構成されている。
【００６１】
ここで、図１０では、ランプユニット１０ｂがバックライト２０ｂの右側から第３側枠Ｆ３ｂに設けられた挿入口Ｓ２を介して挿入されていると共に第１側枠Ｆ１ｂの内部に収容されているので、第３側枠Ｆ３ｂの挿入口Ｓ２には、図１１に示すように、キャップ１６ｂが取り付けられている。また、バックライト２０ｂの左側の第２側枠Ｆ２ｂに設けられた挿入口Ｓ１には、図１２に示すように、キャップ１６ｄが取り付けられている。
【００６２】
さらに、ランプユニット１０ａがバックライト２０ｂの左側から第２側枠Ｆ２ｂに設けられた挿入口Ｓ１を介して挿入されると共に第１側枠Ｆ１ｂの内部に収容される場合（不図示）には、第２側枠Ｆ２ｂの挿入口Ｓ１にキャップ１６ａが取り付けられ、第３側枠Ｆ３ｂの挿入口Ｓ２にキャップ１６ｃが取り付けられる。
【００６３】
以上説明したように、本実施形態のバックライト２０ｂ及びそれを備えた液晶表示装置によれば、光出射部Ｌの周囲に配置された枠部Ｆが、筐体Ｃの上面における第１の辺に沿った第１側枠Ｆ１ｂ、第１の辺に直交する第２の辺に沿った第２側枠Ｆ２ｂ、第１の辺に直交する第３の辺に沿った第３側枠Ｆ３ｂ、第１の辺に対向する第４の辺に沿った第４側枠Ｆ４ｂを有し、第２側枠Ｆ２ｂ及び第３側枠Ｆ３ｂの各第１側枠Ｆ１ｂ側の端部に、細長のランプユニット１０ａ及び１０ｂを挿入するための挿入口Ｓ１及びＳ２がそれぞれ設けられているので、バックライト２０ｂ（液晶表示装置）にランプユニットを取り付ける際には、筐体Ｃの第２側枠Ｆ２ｂ及び第３側枠Ｆ３ｂの双方側からランプユニットをスライド式に挿入することができる。そのため、例えば、ランプユニットに付随して設けられるインバータ回路を筐体Ｃの第２側枠Ｆ２ｂ及び第３側枠Ｆ３ｂの何れの側にも配置することができる。したがって、ランプユニットがスライド式に取り付け可能な片側配置のエッジライト方式のバックライト及び液晶表示装置において、自由度の高い設計をすることができる。
【００６４】
また、本実施形態では、キャップ１６ｃ及び１６ｄが互いに鏡面対称に形成されているものを例示したが、本発明は、上記実施形態１と同様に、図８に示すように、キャップ１６自体を取り付けられる筐体Ｃの厚さ方向に垂直な面に対して対称に形成させてもよい。これによれば、筐体Ｃの第２側枠Ｆ２ｂに設けられた挿入口Ｓ１に取り付けるキャップ１６を、筐体Ｃの第３側枠Ｆ３ｂに設けられた挿入口Ｓ２にも取り付けることができる。そのため、ランプユニットを筐体Ｃの第２側枠Ｆ２ｂ及び第３側枠Ｆ３ｂの何れの側から挿入しても、１種類のキャップ１６によってランプユニットが挿入されない側の挿入口を塞ぐことができる。
【００６５】
さらに、本実施形態では、ランプユニット１０ａ及び１０ｂが互いに鏡面対称に形成されているものを例示したが、本発明は、上記実施形態１と同様に、図９に示すように、ランプユニット１０自体を長さ方向に沿った面に対して対称に形成させてもよい。これによれば、筐体Ｃの第３側枠Ｆ３ｂに設けられた挿入口Ｓ２を介して挿入されるランプユニット１０を、筐体Ｃの第２側枠Ｆ２ｂに設けられた挿入口Ｓ１を介して挿入することができる。そのため、ランプユニットを筐体Ｃの第２側枠Ｆ２ｂ及び第３側枠Ｆ３ｂの何れの側から挿入する場合でも、１種類のランプユニット１０で済ませることができる。
【００６６】
《発明の実施形態３》
図１３及び図１４は、本発明にかかるバックライト及びそれを備えた液晶表示装置の実施形態３を示している。ここで、図１３は、本実施形態にかかる液晶表示装置５０ｃの上面図であり、図１４は、液晶表示装置５０ｃの分解斜視図である。なお、図１４では、ランプユニット１０ｂを構成する筒状リフレクター１２が省略されている。
【００６７】
この液晶表示装置５０ｃは、図１４に示すように、液晶表示パネル３０と、その液晶表示パネル３０の表示面Ｄに対向して配置されたバックライト２０ｃとを備えている。
【００６８】
バックライト２０ｃでは、図１４に示すように、上面のない扁平な矩形箱状に形成されたプラスチック製の下側シャーシ２１と、その下側シャーシ２１に嵌合するように矩形枠状に形成されたプラスチック製の上側シャーシ２６との間に、矩形平板状に形成された板状リフレクター２３と、矩形平板状に形成された樹脂製の導光板２４と、矩形平板状に形成された樹脂製の拡散板などからなる光学シート２５とが下から順に設けられている。ここで、板状リフレクター２３ｃは、例えば、ステンレスなどからなる金属板と、その金属板の上面に設けられた白色のプラスチックシートなどからなる反射シートとを備えている。そして、板状リフレクター２３ｃの表面には、複数のランプユニット１０ｂが互いに平行に配列するように、各ランプユニット１０ｂを構成する筒状リフレクター１２及びハーネス１３を収容するための溝条が複数形成されている。また、各ランプユニット１０ｂは、その両端部に取り付けられたランプホルダー１５によって板状リフレクター２３ｃ上に保持されている。
【００６９】
また、バックライト２０ｃは、図１４に示すように、複数のランプユニット１０ｂが筐体Ｃの第１の辺、及びその第１の辺に対向する第４の辺の間に配置及び収容された直下方式に構成されている。
【００７０】
液晶表示装置５０ｃは、図１３に示すように、その左側端にランプユニット１０ａを挿入するための挿入口Ｓ１０１〜Ｓ１１０、及びその右側端にランプユニット１０ｂを挿入するための挿入口Ｓ２０１〜Ｓ２１０を有している。
【００７１】
なお、ランプユニット１０ａ及び１０ｂは、バックライト２０ｃとして、又は、図１３に示すように、液晶表示装置５０ｃとして組み上がった状態で筐体Ｃに対して左右両側からスライド式に交換可能に構成されている。
【００７２】
ここで、図１４では、１０本のランプユニット１０ｂがバックライト２０ｃの右側の挿入口Ｓ２０１〜Ｓ２１０を介して挿入されていると共にバックライト２０ｃの内部にそれぞれ収容されているので、バックライト２０ｃの右側の挿入口Ｓ２０１〜Ｓ２１０には、キャップ１６ｂがそれぞれ取り付けられ、バックライト２０ｃの左側の挿入口Ｓ１０１〜Ｓ１１０には、キャップ１６ｄがそれぞれ取り付けられる。
【００７３】
さらに、１０本のランプユニット１０ａがバックライト２０ｃの左側の挿入口Ｓ１０１〜Ｓ１１０を介してそれぞれ挿入されると共にバックライト２０ｃの内部にそれぞれ収容される場合（不図示）には、バックライト２０ｃの左側の挿入口Ｓ１０１〜Ｓ１１０にキャップ１６ａがそれぞれ取り付けられ、バックライト２０ｃの右側の挿入口Ｓ２０１〜Ｓ２１０にキャップ１６ｃがそれぞれ取り付けられる。
【００７４】
上記構成の液晶表示装置５０ｃでは、画像の最小単位である画素毎に、液晶表示パネル３０の液晶層に所定の電圧を印加して、その印加電圧の大きさに応じて液晶層の液晶分子の配向状態を変えることにより、バックライト２０ｃを構成する各ランプユニット１０１０ｂから出射された光が導光板２４及び光学シート２５を介して液晶表示パネル３０を透過するときの透過率を調整して、画像が表示される。
【００７５】
以上説明したように、本実施形態のバックライト２０ｃ及びそれを備えた液晶表示装置５０ｃによれば、その両側端にそれぞれランプユニット１０ａ及び１０ｂを挿入するための挿入口Ｓ１０１〜１１０及びＳ２０１〜２１０が設けられているので、バックライト２０ｃ（液晶表示装置５０ｃ）にランプユニットを取り付ける際には、筐体Ｃの両側方からランプユニットをスライド式に挿入することができる。そのため、例えば、ランプユニットに付随して設けられるインバータ回路を筐体Ｃの両側端の何れの側にも配置することができる。したがって、ランプユニットがスライド式に取り付け可能な直下方式のバックライト及び液晶表示装置において、自由度の高い設計をすることができる。
【００７６】
また、本実施形態では、キャップ１６ｃ及び１６ｄが互いに鏡面対称に形成されているものを例示したが、本発明は、上記実施形態１及び２と同様に、図８に示すように、キャップ１６自体を取り付けられる筐体Ｃの厚さ方向に垂直な面に対して対称に形成させてもよい。これによれば、ランプユニットを筐体Ｃの両側端の何れの側から挿入しても、１種類のキャップ１６によってランプユニットが挿入されない側の挿入口を塞ぐことができる。
【００７７】
さらに、本実施形態では、ランプユニット１０ａ及び１０ｂが互いに鏡面対称に形成されているものを例示したが、本発明は、上記実施形態１及び２と同様に、図９に示すように、ランプユニット１０自体を長さ方向に沿った面に対して対称に形成させてもよい。これによれば、ランプユニットを筐体Ｃの両側端の何れの側から挿入する場合でも、１種類のランプユニット１０で済ませることができる。
【産業上の利用可能性】
【００７８】
以上説明したように、本発明は、ランプユニットがスライド式に取り付け可能なバックライトにおいて、自由度の高い設計をすることができるので、透過型及び半透過型の液晶表示装置について有用である。
【図面の簡単な説明】
【００７９】
【図１】実施形態１にかかる液晶表示装置５０ａの上面図である。
【図２】液晶表示装置５０ａの分解斜視図である。
【図３】液晶表示装置５０ａを構成するバックライト２０ａの第１の上面図である。
【図４】バックライト２０ａの左側面図である。
【図５】バックライト２０ａの右側面図である。
【図６】図３中のVI−VI線に沿ったバックライト２０ａの断面図である。
【図７】液晶表示装置５０ａを構成するバックライト２０ａの第２の上面図である。
【図８】液晶表示装置５０ａを構成するキャップ１６ｄの斜視図である。
【図９】液晶表示装置５０ａを構成するランプユニット１０の断面模式図である。
【図１０】実施形態２にかかる液晶表示装置を構成するバックライト２０ｂの上面図である。
【図１１】バックライト２０ｂの左側面図である。
【図１２】バックライト２０ｂの右側面図である。
【図１３】実施形態３にかかる液晶表示装置５０ｃの上面図である。
【図１４】液晶表示装置５０ｃの分解斜視図である。
【符号の説明】
【００８０】
Ｃ      筐体
Ｄ      表示面
Ｆ      枠部
Ｆ１    第１側枠
Ｆ２    第２側枠
Ｆ３    第３側枠
Ｆ４    第４側枠
Ｌ      光出射部
Ｓ１〜Ｓ４，Ｓ１０１〜Ｓ１１０，Ｓ２０１〜Ｓ２１０    挿入口
１０，１０ａ，１０ｂ    ランプユニット
１１    ランプ
１２    筒状リフレクター
１６，１６ａ，１６ｂ，１６ｃ，１６ｄ    キャップ
２０ａ，２０ｂ，２０ｃ    バックライト
３０    液晶表示パネル
５０ａ，５０ｃ    液晶表示装置
【図１】
2007257908.tif 000003
【図２】
2007257908.tif 000004
【図３】
2007257908.tif 000005
【図４】
2007257908.tif 000006
【図５】
2007257908.tif 000007
【図６】
2007257908.tif 000008
【図７】
2007257908.tif 000009
【図８】
2007257908.tif 000010
【図９】
2007257908.tif 000011
【図１０】
2007257908.tif 000012
【図１１】
2007257908.tif 000013
【図１２】
2007257908.tif 000014
【図１３】
2007257908.tif 000015
【図１４】
2007257908.tif 000016